(57)【特許請求の範囲】
【請求項１】
光源の発光面に対して狭い間隔で近接配置される平面状の光入射面を有し、且つ、前記光源の発光面から出射する照明光を前記光入射面から入射させて集光させる集光レンズと、
前記集光レンズと一体に形成され且つ前記集光レンズにて集光した光を入射させて光の方向を屈折させる屈折光学部材と、を備え、
前記光源からの照明光は前記集光レンズおよび屈折光学部材を介して所望の範囲にスポット状に照射させられるようにした照明用レンズであって、
前記集光レンズは前記光源からの発散光を平行光束に近い発散光にして前記屈折光学部材に入射させるレンズであり、前記屈折光学部材は複数の光屈折部を有すると共に、
前記屈折光学部材の前記光屈折部は、一側縁側の厚肉部と、前記一側縁とは反対側の反対縁側の薄肉部と、前記厚肉部と前記薄肉部との間の肉厚が前記肉厚部から前記薄肉部に向かうに従って徐々に小さくなるように形成された肉厚変化部を備えることを特徴とする照明用レンズ。
【請求項２】
請求項１に記載の照明用レンズにおいて、前記光源側の光屈折部は前記集光レンズ側の光入射面が前記厚肉部から薄肉部側に向かうに従って前記集光レンズ側とは反対側に傾斜させられていることを特徴とする照明用レンズ。
【請求項３】
請求項２に記載の照明用レンズにおいて、前記集光レンズはレンズ形成板部に一体に形成され、前記レンズ形成板部および前記光屈折部を間隔を置いて保持させる柱状支持部が前記集光レンズおよび前記光屈折部に成形により一体に形成されていると共に、前記集光レンズは前記光源側の光屈折部の光入射面に向けて半球状に突出させられていることを特徴とする照明用レンズ。
【請求項４】
請求項３に記載の照明用レンズにおいて、前記複数の光屈折部は互いに対向する対向屈折面が前記厚肉部側から前記薄肉部側に向かうに従って互いに離反する形状に形成させられていることを特徴とする照明用レンズ。
【請求項５】
請求項４に記載の照明用レンズにおいて、前記複数の光屈折部のうち光出射側の光屈折部は前記対向屈折面が凹凸状に湾曲させられている屈折レンズであることを特徴とする照明用レンズ。
【請求項６】
請求項４に記載の照明用レンズにおいて、前記柱状支持部は前記光屈折部の厚肉部同士および薄肉部同士をそれぞれ支持する第１柱状支持部および第２柱状支持部であることを特徴とする照明用レンズ。
【請求項７】
請求項４に記載の照明用レンズにおいて、前記複数の光屈折部は対向屈折面が円柱状に突出する屈折レンズであることを特徴とする照明用レンズ。
【請求項８】
請求項７に記載の照明用レンズにおいて、前記複数の屈折レンズのうち光出射側の屈折レンズの光出射屈折面は円柱凸状屈折面に形成されていることを特徴とする照明用レンズ。
【請求項９】
請求項４に記載の照明用レンズにおいて、前記柱状支持部は前記光屈折部の一側縁と反対側縁を結ぶ仮想線と直交する方向において前記集光レンズおよび複数の前記光屈折部の側縁部同士を支持する第１柱状支持部および第２柱状支持部であることを特徴とする照明用レンズ。
【請求項１０】
請求項９に記載の照明用レンズにおいて、前記複数の光屈折部は厚肉部側が前記第１，第２柱状支持部までの間で連設部で一体に設けられていることを特徴とする照明用レンズ。
【請求項１１】
請求項９に記載の照明用レンズにおいて、前記集光レンズは前記仮想線と直交する方向に複数並設されていることを特徴とする照明用レンズ。
【請求項１２】
請求項１１に記載の照明用レンズにおいて、前記複数の集光レンズは隣接部同士が一部重なるように接合されていることを特徴とする照明用レンズ。
【発明の詳細な説明】
【技術分野】
【０００１】
この発明は、光源からの照明光を所望の範囲に照射して照らす照明用レンズに関するものである。
【背景技術】
【０００２】
従来、自動車等の車両（乗り物）には、様々な照明装置が設けられている。例えば、車室内を照らすルームランプや、地図等を見るときに座席を個別に照らすマップランプ等の照明装置が知られている。【０００３】
この照明装置としては、例えば、特開２００６−１２３７９４号公報（特許文献１）におけるような乗物用照明装置が知られている。この乗物用照明装置では、車室の天井に前後に延びるイルミネーションモジュールを設けて、このイルミネーションモジュールの前端部，前後方向の中央部，後端部にＬＥＤを有する照明装置をそれぞれ設けている。しかも、この乗物用照明装置では、複数のＬＥＤからの照明光を集光部の複数の集光レンズで所定方向に絞って出射させるようにしている。【０００４】
また、照明装置としては、特開２０１１−１７３４３７号公報（特許文献２）におけるように、車両の天井部にマップランプユニットを配置して、マップランプユニット内に配設したＬＥＤ光源からの照明光を集光レンズで所望の範囲に照射するようにした車両用照明装置が知られている。
【発明の概要】
【発明が解決しようとする課題】
【０００５】
しかし、特許文献１の乗物用照明装置では、複数のＬＥＤを縦横に隣接配置していると共に、この複数のＬＥＤの光軸を特定方向に傾斜させている。このため、複数のＬＥＤはＬＥＤごとに独立した基板を個別に設けて、各基板を同じ方向に傾斜させている。このように特許文献１の乗物用照明装置では、各ＬＥＤ毎に基板を設ける必要があるため、コストアップが避けられない。【０００６】
また、特許文献２の車両用照明装置では、狙った方向以外への光の拡散を防ぐ絞り穴を設けて、この絞り穴により照射したい範囲を照らすようにしているため、ＬＥＤ光源から発せられた光は一部しか使っていない。このため、高輝度のＬＥＤ光源を使用する必要があり、エネルギーのロスを生むことにもなる。また、ロスエネルギーは熱となって照明装置の中に放出されるため、信頼性へ悪影響を及ぼすことも考えられる。【０００７】
そこで、この発明は、狙った方向以外への光の拡散が少なく、ロスエネルギーが少ない照明用レンズを提供することを目的とするものである。
【課題を解決するための手段】
【０００８】
この目的を達成するため、この発明の照明用レンズは、光源から発せられた光を入射させて集光する集光レンズと、前記集光レンズにて集光した光を入射させて光の方向を屈折させる屈折光学部材とを有している。そして、前記光源からの照明光は前記集光レンズおよび屈折光学部材を介して所望の範囲にスポット状に照射させられるようになっている。また、前記光源は前記集光レンズ側にのみ照明光を出射する発光面を備えている。しかも、前記集光レンズおよび前記屈折光学部材が一体に形成されている。
【発明の効果】
【０００９】
この構成によれば、狙った方向以外への光の拡散が少なく、ロスエネルギーが少ない照明用レンズを提供することができる。
【図面の簡単な説明】
【００１０】
【図１】この発明に係る照明用レンズを有する照明装置が設けられた自動車の部分説明図である。
【図２】図１に示した照明装置の断面図である。
【図３】図２の照明装置に設けられた照明用レンズの斜視図である。
【図４】図３の照明用レンズの平面図である。
【図５】図４の照明用レンズの左側面図である。
【図６】図５の照明用レンズの右側面図である。
【図７】図４の照明用レンズの底面と図２の光源との位置関係を示す説明図である。
【図８】図４のＡ−Ａ線に沿う断面図である。
【図９】この発明に係る他の照明用レンズを有する照明装置が設けられた自動車の部分説明図である。
【図１０】図９に示した照明装置の断面図である。
【図１１】図９に示した照明用レンズの斜視図である。
【図１２】図１１に示した照明用レンズの平面図である。
【図１３】図１２に示した照明用レンズの右側面図である。
【図１４】図１３に示した照明用レンズの左側面図である。
【図１５】図１４に示した照明用レンズの底面と図１０に示した光源との位置関係を示す説明図である。
【図１６】図１４のＢ−Ｂ線に沿う断面図である。
【図１７】図１４のＣ−Ｃ線に沿う断面図である。
【発明を実施するための形態】
【００１１】
以下、この発明の実施の形態を図面に基づいて説明する。
（実施例１）
［構成］
図１は、この発明に係る照明用レンズを有する照明装置が設けられた自動車等の車両の部分説明図である。図１において、１は自動車等の車両の車体、２は車体１の車室、３は車室２の前部のウインドガラス、４は車室２の前部のインストルメントパネル、５はインストルメントパネル４の助手席側のグローブボックスである。また、６はインストルメントパネル４の車幅方向中央部のＡＶ機器取付パネル部、７は運転操作用のハンドル、８は運転席、９は運転席８に着座しているドライバ、１０は車室２の天井となるヘッドライニングである。更に、１１はヘッドライニング１０の前縁部で且つ車幅方向の中央部に設けられた照明装置、１２は照明装置１１の前側に設けられたルームミラーである。
【００１２】
照明装置１１は、図２に示した偏平な照明装置本体１３を有する。この照明装置本体１３は、車室２側に開口するレンズ配設用の筒部１４Ｌ，１４Ｒが両側部に設けられた偏平ケース１４と、この偏平ケース１４の裏面側に設けられた裏蓋１５と、偏平ケース１４の車室２内側に設けられた化粧蓋１６を有する。裏蓋１５および化粧蓋１６は、図示を省略した係止爪またはネジ等の固定手段で偏平ケース１４に着脱可能に取り付けられている。この化粧蓋１６には、筒部１４Ｌ，１４Ｒに対応する開口１６Ｌ，１６Ｒが形成されている。
【００１３】
また、照明装置１１は、偏平ケース１４の裏蓋１５側に配設され且つ筒部１４Ｌ，１４Ｒの端部に裏蓋１５で押さえ付けられたプリント基板１７と、この筒部１４Ｌ，１４Ｒに臨ませてプリント基板１７に取り付けられた光源１８Ｌ，１８Ｒを有する。この光源１８Ｌ，１８Ｒには例えばＬＥＤ（発光ダイオード）が用いられる。
【００１４】
更に、照明装置１１は、図２に示したように、光源１８Ｌ，１８Ｒからの光を所望の方向に屈折させて、所望の範囲に照明光を照射する照明用レンズ１９Ｌ，１９Ｒを有する。この照明用レンズ１９Ｌ，１９Ｒは射出成形により形成されたものである。
【００１５】
この照明用レンズ１９Ｌ，１９Ｒは、屈折させる方向が異なるのみで、構成は同じである。従って、照明用レンズ１９Ｌについて説明し、照明用レンズ１９Ｒには照明用レンズ１９Ｌと同じ符号を付して説明を省略する。
【００１６】
この照明用レンズ１９Ｌは、図２，図６に示したように、集光レンズ２０ａが設けられたレンズ形成板部２０と、集光レンズ２０ａから出射される照明光を所定方向に屈折させる光偏向部２１と、レンズ形成板部２０および光偏向部２１を一体に保持する一対の第１，第２柱状支持部２２，２３を有する。また、光偏向部２１は、図２，図３，図５，図６，図８に示したように、光源１８Ｌ側第１の光屈折部としての屈折レンズ２４と、第２の光屈折部としての屈折レンズ２５を有する。この屈折レンズ２４は光源１８Ｌ側に位置し、屈折レンズ２５は照明用レンズ１９Ｌの射光出側に設けられている。次に、照明用レンズ１９Ｌのより詳細な構造を説明する。
（集光レンズ２０ａ）
図２，図６，図８において、レンズ形成板部２０の屈折レンズ（第１の光屈折部）２４側の面をレンズ形成面２０ｂとし、レンズ形成板部２０のレンズ形成面２０ｂとは反対側の面を光源側平面２０ｃとしたとき、集光レンズ２０ａはレンズ形成面２０ｂから屈折レンズ２４側に半球状に突出させられている。この集光レンズ２０ａは、光源１８Ｌから発散する発散光を集光させて、この発散光を平行光束に近い状態の発散光の照明光束にして出射する。尚、この集光レンズ２０ａは、レンズ形成板部２０を射出成形により形成する際、レンズ形成板部２０に一体に形成されたものである。
（屈折レンズ２４）
この屈折レンズ（第１の光屈折部）２４は、図２，図６，図８に示したように、一側縁側の厚肉部２４ａと、一側縁とは反対側の反対縁側の薄肉部２４ｂと、厚肉部２４ａと薄肉部２４ｂとの間の肉厚が厚肉部２４ａから薄肉部２４ｂに向かうに従って徐々に小さくなるように形成された肉厚変化部２４ｃを備えている。
【００１７】
また、屈折レンズ２４は、集光レンズ２０ａと対向する光入射面２４ｄが厚肉部２４ａから薄肉部２４ｂ側に向かうに従って集光レンズ２０ａ側とは反対側に傾斜させられている。更に、屈折レンズ２４は、光出射面（屈折レンズ２５への対向屈折面）２４ｅが光入射面２４ｄとは反対に厚肉部２４ａから薄肉部２４ｂ側に向かうに従って集光レンズ２０ａ側に傾斜させられている。これにより、肉厚変化部２４ｃは、厚肉部２４ａから薄肉部２４ｂに向かうに従って徐々に小さくなるようにテーパ状に形成されている。
【００１８】
尚、照明用レンズ１９Ｌを射出成形する際、第１，第２柱状支持部２２，２３や集光レンズ２０ａがあるために、薄肉部２４ｂ側に型抜きをすることができず、図８の紙面とは垂直な方向に射出成形時の型抜きを行わざるを得ない。このため、この屈折レンズ２４の光入射面２４ｄおよび光出射面２４ｅには、図８の紙面とは垂直な方向に射出成形時の型抜き勾配の傾斜が設けられる。この屈折レンズ２４は、型抜き勾配を有するために、後述する楕円状の照明領域が短軸方向へ広がるように照明光を屈折させることができる。また、屈折レンズ２４は、図７に示したように、平面形状が円形に形成されている。
【００１９】
ここで、図２，図８に示した屈折レンズ２４の厚肉部２４ａと薄肉部２４ｂについて、平面形状が円形の屈折レンズ２４の周方向における中心を周方向中心と考えたときに、厚肉部２４ａの周方向中心と薄肉部２４ｂの周方向中心を結ぶ仮想線は図３，図４，図７に示したＬａとなる。そして、図３，図４，図７において、仮想線Ｌａと直交する仮想線をＬｂとする。
【００２０】
また、条件で照明用レンズ１９Ｌの屈折レンズ２４は、図２に示したように、厚肉部２４ａが車室２の車幅方向の外側に位置させられ、薄肉部２４ｂが車室２の車幅方向の中央側に位置させられている。しかも、照明用レンズ１９Ｌの屈折レンズ２４は、図３，図４，図７の仮想線Ｌａが車幅方向に向けられている。
【００２１】
本実施例では、照明用レンズ１９Ｌから出射する照明光が照明装置１１を配置した位置から斜め後方に向けてインストルメントパネル４の左側（助手席側）の後縁部側の部分に照射されるように、仮想線Ｌａが車両前後方向にも傾斜させられている。
【００２２】
尚、照明用レンズ１９Ｒの屈折レンズ２４は、図２に示したように、厚肉部２４ａが車室２の車幅方向の外側に位置させられ、薄肉部２４ｂが車室２の車幅方向の中央側に位置させられている。本実施例では、照明用レンズ１９Ｒから出射する照明光が照明装置１１を配置した位置から斜め後方に向けて運転席側のハンドル７の部分に照射されるように、仮想線Ｌａが車両前後方向にも傾斜させられている。
（屈折レンズ２５）
一方、屈折レンズ（第２の光屈折部）２５は、図２，図６，図８に示したように、一側縁側の厚肉部２５ａと、一側縁とは反対側の反対縁側の薄肉部２５ｂと、厚肉部２５ａと薄肉部２５ｂとの間の肉厚が厚肉部２５ａから薄肉部２５ｂに向かうに従って徐々に小さくなるように形成された肉厚変化部２５ｃを備えている。
【００２３】
また、屈折レンズ２５は、屈折レンズ２４の光出射面２４ｅに対向する光入射面２５ｄを有する。この光入射面２５ｄは円柱軸が仮想線Ｌｂ方向に延びる凹凸形状の屈折面となっている。
【００２４】
この屈折レンズ２５は、図３，図４，図７に示したように、平面形状が円形に形成されていると共に、光入射面２５ｄと反対側の光出射面２５ｅが平面に形成されている。しかも、この屈折レンズ２５の周面には図２〜図８に示したように、フランジ２５ｆが形成されている。このフランジ２５ｆが、図２の図示しない位置で筒部１４Ｌの内方フランジ１４ｇに当接支持されている。
【００２５】
また、屈折レンズ２５の光入射面２５ｄには、屈折レンズ２４と同様な射出成型時の理由により、図８の紙面とは垂直な方向に射出成形時の型の抜き勾配の傾斜が設けられる。さらに、屈折レンズ２５は、図４に示したように、平面形状が円形に形成されている。
【００２６】
尚、上述した構成により、屈折レンズ２４および屈折レンズ２５は、互いに対向する光出射面２４ｅと光入射面（対向屈折面）２５ｄが厚肉部２４ａ，２５ａから薄肉部２４ｂ、２５ｂに向かうに従って互いに離反する形状となっている。
【００２７】
ここで、図２，図８に示した屈折レンズ２５の厚肉部２５ａと薄肉部２５ｂについて、平面形状が円形の屈折レンズ２５の周方向における中心を周方向中心と考えたときに、厚肉部２５ａの周方向中心と薄肉部２５ｂの周方向中心を結ぶ線は仮想線Ｌａと一致している。
【００２８】
そして、照明用レンズ１９Ｌの屈折レンズ２５は、図２に示したように、厚肉部２５ａが車室２の車幅方向の外側に位置させられ、薄肉部２５ｂが車室２の車幅方向の中央側に位置させられている。しかも、照明用レンズ１９Ｌの屈折レンズ２５は、図３，図４，図７の仮想線Ｌａが車幅方向に向けられている。
【００２９】
尚、照明用レンズ１９Ｒの屈折レンズ２５は、図２に示したように、厚肉部２５ａが車室２の車幅方向の外側に位置させられ、薄肉部２５ｂが車室２の車幅方向の中央側に位置させられている。
（第１，第２の柱状支持部２２，２３）
そして、屈折レンズ２４，２５は、一側縁側の厚肉部２４ａ，２５ａおよび反対縁側の薄肉部２４ｂ，２５ｂが、第１，第２の柱状支持部２２，２３の先端部及び中間部に射出成形で一体に形成されることにより、第１，第２の柱状支持部２２，２３の先端部に保持されている。尚、第１，第２の柱状支持部２２，２３は、集光レンズ２０ａの光軸に沿う方向に延びている。
【００３０】
この第１，第２柱状支持部２２，２３は、レンズ形成板部２０から光源１８Ｌ側に突出させられて、プリント基板１７とレンズ形成板部２０との間隔を設定している。これにより光源１８Ｌの光出射側の発光面１８ａがレンズ形成板部２０の光源側平面２０ｃに近接した位置に配設されている。尚、光源１８Ｌは集光レンズ２０ａに対応した位置に配置されている。しかも、光源１８Ｌの発光面１８ａの発光中心は、集光レンズ２０ａの光軸に一致させられている。
［作用］
次に、このような構成の照明装置１１の作用を説明する。
【００３１】
図２の照明装置１１の照明用レンズ１９Ｌ側の光源１８Ｌを点灯させると、光源１８Ｌから出射する発散光は集光レンズ２０ａに入射させられる。この発散光は、集光レンズ２０ａにより平行光束に近い光束の照明光（照明光束）ＬＥＬにされて集光レンズ２０ａから出射する。しかし、この集光レンズ２０ａから出射する照明光は、完全な平行光束とはなっておらず、非常に小さい角度で発散している。
【００３２】
この集光レンズ２０ａから出射する照明光ＬＥＬは、屈折レンズ２４の光入射面２４ｄに入射して、屈折レンズ２４の肉厚変化部２４ｃ内で左方向に屈折した後、肉厚変化部２４ｃの光出射面２４ｅから出射する際に更に左方に屈折させられる。この光入射面２４ｄおよび光出射面２４ｅと光出射面２５ｅは、図８の紙面と垂直な方向に抜き勾配を有するために、集光レンズ２０ａの光集光作用と相俟って、後述する楕円状の照明領域が短軸方向へ広がるように照明光を屈折させることができる。
【００３３】
また、光出射面２４ｅから出射した照明光ＬＥＬは、屈折レンズ２５の光入射面２５ｄに入射して、肉厚変化部２５ｃ内で左方に屈折した後、屈折レンズ２５の光出射面２５ｅから出射する際に左方に屈折する。
【００３４】
そして、照明光ＬＥＬは、屈折レンズ２４，２５のプリズム作用により屈折させられて、照明用レンズ１９Ｌから車室２内に出射させられる。そして、照明光ＬＥＬは、照明用レンズ１９Ｌから離反するに従い光束径が徐々に拡径されて、図１に示したように、左右方向に長軸を有し且つ前後方向に短軸を有する楕円形状の照明エリアＳＬをインストルメントパネル４の左側（助手席側）の部分に形成する。
【００３５】
一方、図２の照明装置１１の照明用レンズ１９Ｒ側の光源１８Ｒを点灯させると、光源１８Ｒからの発散光が照明用レンズ１９Ｒの集光レンズ２０ａで平行光束の照明光ＬＥＲとして、照明光ＬＥＬとは反対側に屈折して出射させられる。これにより、照明光ＬＥＲは、図１に示したように、左右方向に長軸を有し且つ前後方向に短軸を有する楕円形状の照明エリアＳＲをハンドル７の部分に形成する。
（実施例２）
［構成］
図９〜図１７はこの発明の実施例２を示したものである。この実施例２の照明装置１１Ａは、実施例１の照明用レンズ１９Ｌ，１９Ｒに代えて照明装置本体１３に組み込んだ照明用レンズ３０Ｌ，３０Ｒを有する。
【００３６】
この照明用レンズ３０Ｌ，３０Ｒは、屈折させる方向が異なるのみで、構成は同じである。従って、照明用レンズ３０Ｌについて説明し、照明用レンズ３０Ｒには照明用レンズ３０Ｌと同じ符号を付して説明を省略する。
【００３７】
この照明用レンズ３０Ｌは、図１０，図１１，図１４，図１５に示したように、一対（複数）の集光レンズ３１ａ，３１ａが設けられたレンズ形成板部３１を有する。
【００３８】
この照明用レンズ３０Ｌは、図１０，図１１，図１３，図１４，図１６，図１７に示したように、集光レンズ３１ａ，３１ａから平行光束にして出射される照明光を所定方向に屈折させる光偏向部３２を有する。また、照明用レンズ３０Ｌは、レンズ形成板部３１および光偏向部３２を一体に保持する第１，第２柱状支持部３３，３４を有する。この照明用レンズ３０Ｌは射出成形により形成される。
【００３９】
また、光偏向部３２は、図１０，図１１，図１３，図１４，図１６，図１７に示したように、第１の光屈折部としての屈折レンズ３５と、第２の光屈折部としての屈折レンズ３６とを有する。この屈折レンズ３５は光源１８Ｌ側に位置し、屈折レンズ３６は照明用レンズ３０Ｌの射光出側に設けられている。以下、照明用レンズ３０Ｌの各部について詳述する。
（集光レンズ３１ａ，３１ａ）
図１３，図１６，図１７において、レンズ形成板部３１の屈折レンズ３５側の面をレンズ形成面３１ｂとし、レンズ形成板部３１のレンズ形成面３１ｂとは反対側の面を光源側平面３１ｃとしたとき、集光レンズ３１ａ，３１ａはレンズ形成面３１ｂから屈折レンズ３５側に半球状に突出させられている。しかも、集光レンズ３１ａ，３１ａは、隣接部が所定量重なるように接合されている。この集光レンズ３１ａ，３１ａは、図１４に示した一対（複数）の光源１８Ｌ，１８Ｌから発散する発散光を集光させて、この発散光を平行光束に近い状態の発散光の照明光束にして出射する。尚、この集光レンズ３１ａ，３１ａは、レンズ形成板部３１を射出成形により形成する際、レンズ形成板部３１に一体に形成されたものである。
（屈折レンズ３５）
この屈折レンズ（第１の光屈折部）３５は、図１０，図１６，図１７に示したように、一側縁側の厚肉部３５ａと、一側縁とは反対側の反対縁側の薄肉部３５ｂと、厚肉部３５ａと薄肉部３５ｂとの間の肉厚が厚肉部３５ａから薄肉部３５ｂに向かうに従って徐々に小さくなるように形成された肉厚変化部３５ｃを備えている。
【００４０】
また、屈折レンズ３５は、集光レンズ３１ａと対向する光入射面３５ｄが厚肉部３５ａから薄肉部３５ｂ側に向かうに従って集光レンズ３１ａ側とは反対側に傾斜させられている。
【００４１】
ここで、図１０，図１６，図１７の厚肉部３５ａと薄肉部３５ｂについて、平面形状が円形の屈折レンズ３５の周方向における中心を周方向中心と考えたときに、厚肉部３５ａの周方向中心と薄肉部３５ｂの周方向中心を結ぶ仮想線は図１１，図１２に示したＬｃとなる。また、この仮想線Ｌｃと直交する仮想線をＬｄとする。
【００４２】
この条件で、屈折レンズ３５の光出射面３５ｅ（屈折レンズ３６への対向屈折面）は仮想線をＬｄの延びる方向に円柱軸が延びる円柱凸状屈折面となっている。尚、屈折レンズ３５は、平面形状が図１１，図１２，図１５に示したように、円形に形成されている。
【００４３】
また、照明用レンズ３０Ｌの屈折レンズ３５は、図１０に示したように、厚肉部３５ａが車室２の車幅方向の外側に位置させられ、薄肉部３５ｂが車室２の車幅方向の中央側に位置させられている。しかも、照明用レンズ３０Ｌの屈折レンズ３５は、図１１，図１２の仮想線Ｌｃが車幅方向に向けられている。
（屈折レンズ３６）
一方、屈折レンズ（第２の光屈折部）３６は、図１０，図１６，図１７に示したように、一側縁側の厚肉部３６ａと、一側縁とは反対側の反対縁側の薄肉部３６ｂと、厚肉部３６ａと薄肉部３６ｂとの間の肉厚が厚肉部３６ａから薄肉部３６ｂに向かうに従って徐々に小さくなるように形成された肉厚変化部３６ｃを備えている。
【００４４】
ここで、図１０，図１６，図１７の厚肉部３６ａと薄肉部３６ｂについて、平面形状が円形の屈折レンズ３６の周方向における中心を周方向中心と考えたときに、厚肉部３６ａの周方向中心と薄肉部３６ｂの周方向中心を結ぶ線は上述した仮想線Ｌｃと一致している。
【００４５】
また、屈折レンズ３６は、屈折レンズ３５の光出射面３５ｅに対して対向する光入射面（対向屈折面）３６ｄを有する。この光入射面３６ｄは、円柱軸が仮想線Ｌｄ方向に延びる円柱凸状屈折面となっている。更に、屈折レンズ３６は、平面形状が円形に形成されていると共に、光入射面３６ｄと反対側の光出射面３６ｅが円柱凸状屈折面となっている。この光出射面３６ｅは円柱軸が仮想線Ｌｄ方向に延びている。尚、図１１〜図１７に示したように、屈折レンズ３６の周面にはフランジ３６ｆが形成されている。
【００４６】
また、屈折レンズ３５，３６の厚肉部３５ａ，３６ａは、図１０，図１６，図１７に示したように、連設部３７で一体に設けられている。尚、上述した構成により、屈折レンズ３５および屈折レンズ３６は、互いに対向する光出射面（対向屈折面）３５ｅと光入射面（対向屈折面）３６ｄが厚肉部３５ａ，３６ａから薄肉部３５ｂ、３６ｂに向かうに従って互いに離反する形状となっている。
【００４７】
そして、照明用レンズ３０Ｌの屈折レンズ３６は、図１０に示したように、厚肉部３６ａが車室２の車幅方向の外側に位置させられ、薄肉部３６ｂが車室２の車幅方向の中央側に位置させられている。しかも、照明用レンズ３０Ｌの屈折レンズ３６は、図１１，図１２の仮想線Ｌｃが車幅方向に向けられている。
（第１，第２の柱状支持部３３，３４）
この屈折レンズ３５，３６は、一側縁側の厚肉部３５ａ，３６ａと反対縁側の薄肉部３５ｂとの周方向中央部が、第１，第２の柱状支持部３３，３４の先端部および中間部に射出成形で一体に設けられている。これにより、屈折レンズ３５は、第１，第２の柱状支持部３３，３４の先端部に保持されている。この実施例では、第１，第２の柱状支持部３３，３４への屈折レンズ３５の結合部の肉厚が同じで、第１，第２の柱状支持部３３，３４への屈折レンズ３５の結合強度が同じになるので、第１，第２の柱状支持部３３，３４の幅は同じに設定されている。尚、第１，第２の柱状支持部３３，３４は、集光レンズ３１ａの光軸に沿う方向に延びている。
【００４８】
更に、第１，第２の柱状支持部３３，３４は、レンズ形成板部３１から光源１８Ｌ側に突出させられてる。また、光源１８Ｌ，１８Ｌの光出射側の発光面１８ａがレンズ形成板部３１の光源側平面３１ｃに近接した位置に配設されるように、プリント基板１７とレンズ形成板部３１との間隔が設定されている。この光源１８Ｌ，１８Ｌは、レンズ形成板部３１の集光レンズ３１ａ，３１ａに対応する位置に配設されている。しかも、光源１８Ｌ，１８Ｌの発光面１８ａの発光中心は、集光レンズ３１ａ，３１ａの光軸にそれぞれ一致させられている。
【００４９】
尚、本実施例では、照明用レンズ３０Ｌを射出成形する際に、屈折レンズ３５，３６の肉厚変化方向への型抜きを行うことが出来る。この構成により、屈折レンズ３５の光入射面３５ｄ、光出射面３５ｅおよび屈折レンズ３６の光入射面３６ｄには図１６，図１７の紙面に垂直な方向への抜き勾配を設ける必要がない。このため、集光レンズ３１ａに集光レンズ２０ａと同様な集光作用を持たせている場合、集光レンズ３１ａのみでは照明エリアＳＬ１の短軸方向への広がりが図９の二点鎖線Ｓｐ１で示したように少なくなる。従って、本実施例におけるように、隣接する２つの光源１８Ｌ，１８Ｌからの発散光を２つの接合された集光レンズ３１ａ，３１ａで照明エリアＳＬ１の短軸方向への広がりを一点鎖線Ｓｐ２で示したように多くすることが出来るようになっている。このため、２つの集光レンズ３１ａのうち図１６，図１７では一方のみを図示しているが、２つの集光レンズ３１ａ，３１ａは図１６，図１７の紙面に垂直な方向に配列されている。
［作用］
次に、このような構成の照明装置１１Ａの作用を説明する。
【００５０】
図１０の照明装置１１Ａの照明用レンズ３０Ｌ側の光源１８Ｌを点灯させると、光源１８Ｌから出射する発散光は集光レンズ３１ａに入射させられる。この発散光は、集光レンズ３１ａにより平行光束に近い光束の照明光（照明光束）ＬＥＬにされて集光レンズ３１ａから出射する。従って、集光レンズ３１ａから出射した照明光は、平行光束とはなっておらず、非常に小さな角度で発散している。
【００５１】
そして、集光レンズ３１ａから出射する照明光ＬＥＬは、屈折レンズ３５の光入射面３５ｄに入射して、屈折レンズ３５の肉厚変化部３５ｃ内で左方向に屈折した後、肉厚変化部３５ｃの光出射面３５ｅから出射する際に更に左方に屈折する。
【００５２】
また、この光出射面３５ｅから出射した照明光ＬＥＬは、屈折レンズ３６の光入射面３６ｄに入射して、肉厚変化部３６ｃ内で左方に屈折した後、屈折レンズ３６の光出射面３６ｅから出射する際に左方に屈折する。
【００５３】
この照明光ＬＥＬは、屈折レンズ３５，３６により屈折させられて、照明用レンズ３０Ｌから車室２内に出射させられる。そして、照明光ＬＥＬは、照明用レンズ３０Ｌから離反するに従い光束径が徐々に拡径されて、図９に示したように、左右方向に長軸を有し且つ前後方向に短軸を有する楕円形状の照明エリアＳＬ１をインストルメントパネル４の左側（助手席側）の部分に形成する。
【００５４】
尚、照明用レンズ３０Ｌ側の光源１８Ｌは車体（車両）１の前後方向に２つ（複数）隣接配置され且つ隣接部が少し重なるように接合されている。このため、２つの光源１８Ｌ，１８Ｌおよび照明用レンズ３０Ｌにより照明される照明エリアＳＬ１は、車体（車両）１の前後方向の短軸が実施例１における照明エリアＳＬと略同じに形成されると共に、照明光量が多くなる。
【００５５】
一方、図１０の照明装置１１Ａの照明用レンズ３０Ｒ側の光源１８Ｒを点灯させると、光源１８Ｒからの発散光が照明用レンズ３０Ｒの集光レンズ３１ａで平行光束の照明光ＬＥＲとして、照明用レンズ３０Ｌと同様にして照明光ＬＥＬとは反対側に屈折して出射させられる。これにより、照明光ＬＥＲは、図９に示したように、左右方向に長軸を有し且つ前後方向に短軸を有する楕円形状の照明エリアＳＲ１をハンドル７の部分に形成する。
＜補足説明１＞
以上説明したように、この発明の実施の形態の照明用レンズは、光源（１８Ｌ，１８Ｒ）から発せられた光を入射させて集光する集光レンズ（２０ａ，３１ａ）と、前記集光レンズ（２０ａ，３１ａ）にて集光した光を入射させて光の方向を屈折させる屈折光学部（光偏向部２１又は光偏向部３２）とを有している。そして、前記光源（１８Ｌ，１８Ｒ）からの照明光（ＬＥＬ、ＬＥＲ）は前記集光レンズ（２０ａ，３１ａ）および屈折光学部（光偏向部２１又は光偏向部３２）を介して所望の範囲にスポット状に照射させられるようになっている。しかも、前記光源（１８Ｌ，１８Ｒ）は前記集光レンズ（２０ａ，３１ａ）側にのみ照明光（ＬＥＬ、ＬＥＲ）を出射する発光面１８ａを備えている。しかも、前記集光レンズ（２０ａ，３１ａ）および前記屈折光学部（光偏向部２１又は光偏向部３２）が一体に形成されている。
【００５６】
この構成によれば、狙った方向以外への光の拡散が少なく、ロスエネルギーが少ない照明用レンズを提供することができる。このため、照明光の拡散によりロスエネルギーが生じていた従来の構成と比較して、光源（１８Ｌ，１８Ｒ）発光量を従来よりも少なくすることが可能である。この結果、照明に必要な電力の消費を少なくできる。
＜補足説明２＞
また、この発明の実施の形態の照明用レンズにおいて、前記発光面１８ａが前記集光レンズ（２０ａ，３１ａ）に近接配置されている発光面１８ａを有するＬＥＤ又はＬＤが前記光源（１８Ｌ，１８Ｒ）として用いられていると共に、前記集光レンズ（２０ａ，３１ａ）は前記光源（１８Ｌ，１８Ｒ）からの発散光を平行光束に近い発散光にして前記屈折光学部（光偏向部２１又は光偏向部３２）に入射させるレンズである。
【００５７】
この構成によれば、光源（１８Ｌ，１８Ｒ）にＬＥＤ又はＬＤを用いても、狙った方向以外への光源（１８Ｌ，１８Ｒ）からの照明光の拡散が少なく、ロスエネルギーが少ない。このため、照明光の拡散によりロスエネルギーが生じていた従来の構成と比較して、光源（１８Ｌ，１８Ｒ）に用いるＬＥＤ又はＬＤの発光量を従来よりも少なくすることが可能である。この結果、照明に必要な電力の消費を少なくできる。
＜補足説明３＞
また、この発明の実施の形態の照明用レンズにおいて、前記集光レンズ（２０ａ，３１ａ）の前記光源（１８Ｌ，１８Ｒ）側の光入射面（光源側平面２０ｃ又は３１ｃ）は平面に形成され、前記光源（１８Ｌ，１８Ｒ）の発光面１８ａと前記集光レンズ（２０ａ，３１ａ）の光入射面（光源側平面２０ｃ又は３１ｃ）が狭い間隔で近接配置されている。
【００５８】
この構成によれば、光源（１８Ｌ，１８Ｒ）からの照明光が狙った方向以外へ拡散するのをより効果的に防止できる。
＜補足説明４＞
また、この発明の実施の形態の照明用レンズにおいて、前記屈折光学部（光偏向部２１又は光偏向部３２）は複数の光屈折部（屈折レンズ２４、屈折レンズ２５又は屈折レンズ３５，３６）を有する。
【００５９】
この構成によれば、複数の光屈折部（屈折レンズ２４、屈折レンズ２５又は屈折レンズ３５，３６）を設けているので、各光屈折部（屈折レンズ２４、屈折レンズ２５又は屈折レンズ３５，３６）の屈折量（屈折角）が小さくても、照明光を所望の領域に無理なく容易に向けることができる。
【００６０】
また、一つの光屈折部で所望の屈折角度が得られるように光屈折部を樹脂成形で形成した場合において、光屈折部の厚さが厚くなると、光屈折部を樹脂成形する際のヒケの問題が生ずる。このような場合でも、光屈折部を複数にすることで、所望の屈折角度が得られると共に、各光屈折部のヒケの問題を少なくできる。
＜補足説明５＞
また、この発明の実施の形態の照明用レンズにおいて、前記光屈折部（屈折レンズ２４、屈折レンズ２５又は屈折レンズ３５，３６）は、一側縁側の厚肉部（２４ａ，２５ａ又は３５ａ，３６ａ）と、前記一側縁とは反対側の反対縁側の薄肉部（２４ｂ，２５ｂ又は３５ｂ，３６ｂ）と、前記厚肉部（２４ａ，２５ａ又は３５ａ，３６ａ）と前記薄肉部（２４ｂ，２５ｂ又は３５ｂ，３６ｂ）との間の肉厚が前記厚肉部（２４ａ，２５ａ又は３５ａ，３６ａ）から前記薄肉部（２４ｂ，２５ｂ又は３５ｂ，３６ｂ）に向かうに従って徐々に小さくなるように形成された肉厚変化部（２４ｃ，２５ｃ又は３５ｃ，３６ｃ）を備えている。
【００６１】
この構成によれば、複数の光屈折部（屈折レンズ２４、屈折レンズ２５又は屈折レンズ３５，３６）の屈折量（屈折角）がそれぞれ小さくても、照明光を所望の領域に無理なく容易に向けることができる。
＜補足説明６＞
また、この発明の実施の形態の照明用レンズにおいて、前記集光レンズ（２０ａ，３１ａ）および前記屈折光学部材（屈折レンズ２４、屈折レンズ２５又は屈折レンズ３５，３６）を間隔を置いて保持させる柱状支持部（第１，第２柱状支持部２２，２３又は第１，第２柱状支持部３３，３４）が前記集光レンズ（２０ａ，３１ａ），前記屈折光学部材（屈折レンズ２４、屈折レンズ２５又は屈折レンズ３５，３６）に成形により一体に形成されていると共に、前記光源（１８Ｌ，１８Ｒ）側の光屈折部（屈折レンズ２４又は屈折レンズ３５）は前記集光レンズ（２０ａ，３１ａ）側の光入射面（２４ｄ，３５ｄ）が前記厚肉部（２４ａ又は３５ａ）から薄肉部側（２４ｂ又は３５ｂ）に向かうに従って前記集光レンズ（２０ａ，３１ａ）側とは反対側に傾斜させられている。
【００６２】
この構成によれば、集光レンズ（２０ａ，３１ａ）からの照明光が、光源（１８Ｌ，１８Ｒ）側の光屈折部（屈折レンズ２４又は屈折レンズ３５）の集光レンズ（２０ａ，３１ａ）側の光入射面（２４ｄ，３５ｄ）により、厚肉部（２４ａ又は３５ａ）側に屈折させることができる。
＜補足説明７＞
また、この発明の実施の形態の照明用レンズにおいて、前記集光レンズ（２０ａ又は３１ａ）はレンズ形成板部（２０又は３１）に一体に形成され、前記レンズ形成板部（２０又は３１）および前記光屈折部（屈折レンズ２４，２５又は屈折レンズ３５，３６）を間隔を置いて保持させる柱状支持部（第１，第２柱状支持部２２，２３又は第１，第２柱状支持部３３，３４）が前記集光レンズ（２０ａ又は３１ａ）および前記光屈折部（屈折レンズ２４，２５又は屈折レンズ３５，３６）に成形により一体に形成されていると共に、前記集光レンズ（２０ａ又は３１ａ）は前記光源側の光屈折部（屈折レンズ２４又は屈折レンズ３５）の光入射面（２４ｄ，３５ｄ）に向けて半球状に突出させられている。
【００６３】
この光入射面（２４ｄ，３５ｄ）は、補足説明６で説明したように光屈折部（屈折レンズ２４又は屈折レンズ３５）の集光レンズ（２０ａ又は３１ａ）設けられていて、集光レンズ（２０ａ又は３１ａ）から離反する方向に傾斜する方向に傾斜させられている。この結果、光屈折部（屈折レンズ２４又は屈折レンズ３５）の光入射面（２４ｄ，３５ｄ）とレンズ形成板部（２０又は３１）との間に拡開する空間が形成される。
【００６４】
従って、集光レンズ（２０ａ又は３１ａ）を光屈折部（屈折レンズ２４又は屈折レンズ３５）の光入射面（２４ｄ，３５ｄ）側に半球状に突出させることにより、集光レンズ（２０ａ又は３１ａ）が光入射面（２４ｄ，３５ｄ）とレンズ形成板部（２０又は３１）との間の拡開する空間に配設されるようにしているので、半球状に突出する集光レンズ（２０ａ又は３１ａ）を設けても、照明用レンズ（１８Ｌ，１８Ｒ又は３０Ｌ，３０Ｒ）をコンパクトに形成できる。
＜補足説明８＞
また、この発明の実施の形態の照明用レンズにおいて、前記複数の光屈折部（屈折レンズ２４、屈折レンズ２５又は屈折レンズ３５，３６）は互いに対向する対向屈折面（光出射面２４ｅと光入射面２５ｄ又は光出射面３５ｅと光入射面３６ｄ）が前記厚肉部（２４ａ，２５ａ又は３５ａ，３６ａ）から前記薄肉部（２４ｂ，２５ｂ又は３５ｂ，３６ｂ）に向かうに従って互いに離反する形状に形成させられている。
【００６５】
この構成によれば、集光レンズ（２０ａ又は３１ａ）からの照明光を効果的に同じ側に屈折させることができる。
＜補足説明９＞
（実施例１の光屈折部）
また、この発明の実施の形態の照明用レンズにおいて、前記複数の光屈折部（屈折レンズ２４、屈折レンズ２５）のうち光出射側の光屈折部（屈折レンズ２５）は前記対向屈折面（光入射面２５ｄ）が凹凸状に湾曲させられている屈折レンズ（屈折レンズ２５）である。
【００６６】
この構成によれば、集光レンズ（２０ａ又は３１ａ）からの照明光を更に大きく屈折させることができる。
＜補足説明１０＞
（実施例１の第１，第２柱状支持部２２，２３）
また、この発明の実施の形態の照明用レンズにおいて、前記柱状支持部（第１，第２柱状支持部２２，２３）は前記光屈折部（屈折レンズ２４、屈折レンズ２５）の厚肉部（２４ａ，２５ａ）同士および薄肉部（２４ｂ、２５ｂ）同士をそれぞれ支持する第１柱状支持部２２および第２柱状支持部２３である。
【００６７】
この構成によれば、屈折部と集光レンズに位置バラツキが生じるのを防止できる。
＜補足説明１１＞
また、この発明の実施の形態の照明用レンズにおいて、前記複数の光屈折部（屈折レンズ２４、屈折レンズ２５又は屈折レンズ３５，３６）は対向屈折面（光入射面２５ｄ又は光出射面３５ｅと光入射面３６ｄ）が円柱状に突出する屈折レンズ（屈折レンズ２５又は屈折レンズ３５，３６）である。
【００６８】
この構成によれば、集光レンズ（２０ａ，３１ａ）からの照明光を大きく屈折させることができる。
＜補足説明１２＞
（実施例２の屈折レンズ３５，３６）
また、この発明の実施の形態の照明用レンズにおいて、前記複数の屈折レンズ（屈折レンズ３５，３６）のうち光出射側の屈折レンズ（屈折レンズ３６）の光出射面３６ｅは円柱凸状屈折面に形成されている。
【００６９】
この構成によれば、集光レンズ（２０ａ，３１ａ）からの照明光を更に大きく屈折させることができる。
＜補足説明１３＞
（実施例２の柱状支持部３３，３４）
また、この発明の実施の形態の照明用レンズにおいて、前記柱状支持部（第１，第２柱状支持部３３，３４）は前記光屈折部（屈折レンズ３５，３６）の一側縁と反対側縁を結ぶ仮想線Ｌｃと直交する方向において前記集光レンズ（３１ａ）および複数の前記光屈折部（屈折レンズ３５，３６）の側縁部同士を支持する第１柱状支持部３３および第２柱状支持部３４である。
【００７０】
この構成によれば、成形型の構成を簡単にできるので、製造が容易である。尚、柱状支持部（第１，第２柱状支持部３３，３４）は仮想線Ｌｃから周方向に多少ずれていても同様な効果が得られる。
＜補足説明１４＞
（実施例２の柱状支持部３３，３４）
また、この発明の実施の形態の照明用レンズにおいて、前記複数の光屈折部（屈折レンズ３５，３６）は厚肉部側（３５ａ，３６ａ）が前記第１，第２柱状支持部３３，３４までの間で連設部３７で一体に設けられている。
【００７１】
この構成によれば、屈折部とレンズに位置バラツキが生じるのを防止できる。また、複数枚のレンズが一体となっているので、本部品を照明装置に組付ける際の組立作業も容易となる。
＜補足説明１５＞
（実施例２の複数の集光レンズ３１ａ，３１ａ）
また、この発明の実施の形態の照明用レンズにおいて、前記集光レンズ（３１ａ）は前記仮想線Ｌｃと直交する方向に複数並設されている。
【００７２】
この構成によれば、一つの光源だけでは所望される光度が得られない場合に、複数の光源を近接して配置することにより、所望される高い光度を得ることが出来るとともに、照明領域の短軸方向の広がりを確保できる。
【００７３】
本実施例では光源のLEDは２個であるが、光源が３個以上であっても良い。
＜補足説明１６＞
（実施例２の複数の集光レンズ３１ａ，３１ａ）
また、この発明の実施の形態の照明用レンズにおいて、前記複数の集光レンズ（３１ａ，３１ａ）は隣接部同士が一部重なるように接合されている。
【００７４】
この構成によれば、複数の光源（１８Ｌ，１８Ｌ、又は１８Ｒ，１８Ｒ）を設けても、照明領域が複数に分かれることがなく、照明領域を広げることができる。
【要約】
光源（１８Ｌ，１８Ｒ）は集光レンズ（２０ａ，３１ａ）側にのみ照明光（ＬＥＬ、ＬＥＲ）を出射する発光面１８ａを備え、集光レンズ（２０ａ，３１ａ）および屈折光学部（２１又は３２）は一体に形成されている。【図１】
0005719973.tif 000002
【図２】
0005719973.tif 000003
【図３】
0005719973.tif 000004
【図４】
0005719973.tif 000005
【図５】
0005719973.tif 000006
【図６】
0005719973.tif 000007
【図７】
0005719973.tif 000008
【図８】
0005719973.tif 000009
【図９】
0005719973.tif 000010
【図１０】
0005719973.tif 000011
【図１１】
0005719973.tif 000012
【図１２】
0005719973.tif 000013
【図１３】
0005719973.tif 000014
【図１４】
0005719973.tif 000015
【図１５】
0005719973.tif 000016
【図１６】
0005719973.tif 000017
【図１７】
0005719973.tif 000018